(57)【要約】【課題】  ユーザーと表示画面の相対位置関係の変化に関わらず、常に同様の操作を行えるようにし操作性を向上させるデジタルカメラを提供する。【解決手段】  カメラ筐体に対し位置を回転可能な表示手段と、表示手段の回転を検出し表示画面の向きを判断する手段と、表示手段に表示させた画面を操作する多方向操作部材と、該多方向操作部材による操作の機能を制御する制御手段とを備え、判断手段により画面の向きが変更されたことを検出した場合に、制御手段が、多方向操作部材の複数操作部の機能割り当てを画面の向きに応じて変更することを特徴とするデジタルカメラ。【選択図】  図７
2005328204.tif 000002
【特許請求の範囲】
【請求項１】
カメラ筐体に対し位置を回転可能な表示手段と、
表示手段の回転を検出し表示画面の向きを判断する手段と、
表示手段に表示させた画面を操作する多方向操作部材と、
該多方向操作部材による操作の機能を制御する制御手段と、
を備えたデジタルカメラで、
判断手段により画面の向きが変更されたことを検出した場合に、制御手段は多方向操作部材の複数操作部の機能割り当てを画面の向きに応じて変更することを特徴とするデジタルカメラ。
【請求項２】
請求項１記載のデジタルカメラにおいて、多方向操作部材はカメラ筐体の上面に備わることを特徴とするデジタルカメラ。
【請求項３】
請求項１または２記載のデジタルカメラにおいて、表示手段の回転により表示画面の向きは少なくとも光軸に垂直な面の前後方向で視認可能なことを特徴とするデジタルカメラ。
【請求項４】
請求項３記載のデジタルカメラにおいて、表示手段の回転は、光軸に垂直な軸を中心に回転可能なことを特徴とするデジタルカメラ。
【請求項５】
請求項１ないし４のいずれか１項に記載のデジタルカメラにおいて、制御手段によって割り当てられた多方向操作部材の各操作部の機能を報知する機能報知手段を有することを特徴とするデジタルカメラ。
【請求項６】
請求項５記載のデジタルカメラにおいて、機能報知手段は複数色の発光部を備える発光手段であり、判断手段に応じて操作部の発光色を切替ることを特徴とするデジタルカメラ。
【請求項７】
請求項６記載のデジタルカメラにおいて、発光手段は、多方向操作部材の各操作部の内側に設けたＬＥＤからなることを特徴とするデジタルカメラ。
【請求項８】
請求項１ないし７のいずれか１項に記載のデジタルカメラにおいて、モニタを備える外部機器とコネクタにより接続可能であり、コネクタ接続検出手段を有し、該コネクタ接続検出手段がコネクタの接続を検出した時は多方向操作部材の機能変更を禁止することを特徴とするデジタルカメラ。
【請求項９】
カメラ筐体に対し位置を回転可能な表示手段と、
該表示手段に表示させた画面を操作する複数の操作部を有する多方向操作部材と、
カメラ筐体に対する表示手段の回転位置の変化に応じて、多方向操作部材の複数の操作部相互に対する機能割り当てを変更させる機能制御手段と、
を備えたことを特徴とするデジタルカメラ。
【請求項１０】
操作部に対し画面位置を変化させることが可能な表示手段と、
表示手段の位置変化を検出し表示画面の向きを判断する手段と、
上記操作部に設けられ、表示手段に表示させた画面を操作する操作部材と、
該操作部材による操作の機能を制御する制御手段と、
を備え、
判断手段により画面の向きが変更されたことを検出した場合に、制御手段は操作部材の操作機能を画面の向きに応じて変更することを特徴とする携帯機器。
【発明の詳細な説明】
【技術分野】
【０００１】
本発明は、操作部材と該操作部材に対して位置を変えることができる表示手段とを有するデジタルカメラ及びその他の携帯機器に関する。
【背景技術】
【０００２】
デジタルスチルカメラやデジタルビデオカメラ（以下、デジタルカメラと総称する）では、撮影した画像やカメラ機能の設定メニューを表示させる表示装置（モニタ）を備え、モニタは撮影状況に適応するためカメラ背面側および被写体側へ表示画面の向きを変更可能なものがある。（特許文献１）
カメラのユーザーは表示画面に向き合って表示画面を確認し、操作することになるが、カメラに備わる複数の操作スイッチの各機能は、ユーザーのカメラに対する位置に依らず固定されており、上下または左右の操作スイッチを誤って操作してしまう場合がある。これはカメラの多機能化により操作スイッチが増えたことにもよる。
【０００３】
また、近年実用化されている回転可能な液晶画面付きの携帯電話など、デジタルカメラ以外の携帯機器においても、上記と同様の問題があった。
【０００４】
【特許文献１】特開平０６-９８２１０号
【発明の開示】
【発明が解決しようとする課題】
【０００５】
本発明は、ユーザーがカメラを操作するときに、カメラに対する位置によらず常に同様の操作を行えるようにし操作性を向上させるデジタルカメラを提供することを目的とする。本発明はまた、デジタルカメラを含む携帯機器において、操作部材に対して表示手段の向きが変化したときの操作性を向上させることを目的とする。
【課題を解決するための手段】
【０００６】
本発明のデジタルカメラは、カメラ筐体に対し位置を回転可能な表示手段と、この表示手段の回転を検出し表示画面の向きを判断する手段と、表示手段に表示させた画面を操作する多方向操作部材と、この多方向操作部材による操作の機能を制御する制御手段とを備え、判断手段により画面の向きが変更されたことを検出した場合に、制御手段は多方向操作部材の複数操作部の機能割り当てを画面の向きに応じて変更することを特徴としている。
【０００７】
多方向操作部材はカメラ筐体の上面に設けられていることが好ましい。また、表示手段は、少なくとも光軸に垂直な面の前後方向で表示画面を視認可能とさせるように回転されることが好ましい。例えば、表示手段を、光軸に垂直な軸を中心に回転可能に支持するとよい。
【０００８】
本発明のデジタルカメラでは、制御手段によって割り当てられた多方向操作部材の各操作部の機能を報知する（識別させる）機能報知手段を設けることが好ましい。例えば、ＬＥＤのような複数色の発光部を備える発光手段を機能報知手段とし、判断手段に応じて操作部の発光色を切替るようにすると、ユーザーが認識しやすく、より好ましい構造となる。
【０００９】
また、モニタを備える外部機器とコネクタにより接続可能なタイプのデジタルカメラに適用する場合は、コネクタ接続検出手段を設けて、該コネクタ接続検出手段がコネクタの接続を検出した時は多方向操作部材の機能変更を禁止することが好ましい。
【００１０】
本発明のデジタルカメラはまた、カメラ筐体に対し位置を回転可能な表示手段と、該表示手段に表示させた画面を操作する複数の操作部を有する多方向操作部材と、カメラ筐体に対する表示手段の回転位置の変化に応じて、多方向操作部材の複数の操作部相互に対する機能割り当てを変更させる機能制御手段とを備えたことを特徴としている。
【００１１】
本発明はまた、デジタルカメラを含む携帯機器全般に関しており、操作部に対し画面位置を変化させることが可能な表示手段と、表示手段の位置変化を検出し表示画面の向きを判断する手段と、操作部に設けられ、表示手段に表示させた画面を操作する操作部材と、この操作部材による操作の機能を制御する制御手段とを備え、判断手段により画面の向きが変更されたことを検出した場合に、制御手段が、操作部材の操作機能を画面の向きに応じて変更することを特徴としている。
【発明の効果】
【００１２】
以上の本発明によれば、操作性に優れたデジタルカメラやその他の携帯機器を得ることができる。
【発明を実施するための最良の形態】
【００１３】
以下、図示実施形態に基づき本発明を説明する。デジタルカメラ１０は、撮影光学系（結像光学系）を内蔵したカメラ筺体１１を有している。カメラ筺体１１は撮影光学系の光軸Ｏに沿う方向に長い箱型（四角筒）形状をなし、その外面は、光軸Ｏと略直交するボディ前端面１１ａとボディ後端面１１ｂ、このボディ前端面１１ａとボディ後端面１１ｂを接続して光軸Ｏを囲むボディ上面１１ｃ、ボディ下面１１ｄ、ボディ右側面１１ｅ、ボディ左側面１１ｆとにより構成されている。なお本実施形態では、図３の天地方向をデジタルカメラ１０における上下方向、同じく水平方向を左右方向とする。また、光軸Ｏと平行な方向（以下、光軸方向とする）をデジタルカメラ１０における前後方向とし、ボディ前端面１１ａ側を前方、ボディ後端面１１ｂ側を後方と定義する。
【００１４】
カメラ筺体１１のボディ前端面１１ａには、撮影光学系のうち最も被写体側に位置する前玉レンズＬＦが露出している。前玉レンズＬＦは単レンズでもレンズ群でもよい。撮影光学系はズームレンズ系であり、前玉レンズＬＦ以外にも複数のレンズ群を備えている。また、撮影光学系はズーミング時及びフォーカシング時に鏡筒を繰り出さないインナーズーム、インナーフォーカスタイプの撮影光学系であり、前玉レンズＬＦが図示位置より前方に移動することはない。
【００１５】
カメラ筺体１１のボディ上面１１ｃには、ボディ後端面１１ｂに近い領域に、電源ボタン１３、モードダイヤル１４、再生ボタン１５、メニューボタン１６、十字キー１７といった操作関連のボタンが設けられている。電源ボタン１３はデジタルカメラ１０のメインスイッチをオンオフさせるための操作部材、モードダイヤル１４は各種撮影モードを選択するための操作部材、再生ボタン１５は記録された画像を液晶表示部３２に表示（再生）させるための操作部材である。十字キー１７は複数方向へ操作可能なモーメンタリスイッチであり、具体的には直交する２軸方向（４方向）への押圧操作が可能な４つの操作部（スイッチ部）Ｓ１、Ｓ２、Ｓ３及びＳ４と、該２軸の交点位置での押下操作での押圧操作が可能な操作部（スイッチ部）Ｓ０を備えている（図１及び図２参照）。また、メニューボタン１６を操作すると各種の設定モードに入り、十字キー１７の上下スイッチＳ１,Ｓ２または左右スイッチＳ３,Ｓ４を操作して機能を選択、設定することができる。メニューボタン１６による設定項目は、記録画面サイズ、画質、ホワイトバランス、感度等であるが、これに限定されるものではない。十字キー１７はまた、左右操作スイッチＳ３,Ｓ４を用いて、液晶表示部３２に再生される画像の切り換えなどにも使用される。
【００１６】
これらボタン類の前方には、ポップアップストロボ１８が配設されている。ポップアップストロボ１８は、その発光部をカメラ筺体１１の上方へ突出させるポップアップ状態と、該発光部をボディ上面１１ｃ内に収納させる収納状態とに切換可能であり、各図はポップアップストロボ１８の収納状態を示している。また、ボディ上面１１ｃとボディ右側面１１ｅの間の稜線部付近にはメモリカード蓋１９が設けられている。メモリカード蓋１９を開くと図示しないメモリカードスロットの開口部が露出し、画像データを記録するためのメモリカード６１（図６）をメモリカードスロットに挿脱させることが可能になる。
【００１７】
カメラ筺体１１のボディ左側面１１ｆには、ボディ上面１１ｃ上の各種ボタンと概ね同様の前後方向位置（すなわち、ボディ後端面１１ｂに近い領域）に、ストロボモードボタン２０、セルフ連写ボタン２１、フォーカスモードボタン２２が光軸方向へ略等間隔で配設されている。ストロボモードボタン２０は、ポップアップストロボ１８の発光部の制御に用いる操作部材であり、強制発光、発光停止、赤目防止発光モード等のストロボ関連のモードを切り替えることができる。セルフ連写ボタン２１は撮影時のドライブモードを選択するための操作部材であり、通常のドライブモード（シャッタレリーズ操作と同時に１枚だけ撮影する）に加えて、セルフタイマ撮影モード、オートブラケットモード等を選択することができる。フォーカスモードボタン２２は、フォーカスモードを選択するための操作部材であり、通常のオートフォーカスモードの他に、マクロ撮影モード、無限遠撮影モード、マニュアルフォーカスモード等を選択することができる。また、ボディ左側面１１ｆには、ストロボモードボタン２０の若干前方にスピーカー開口部２３が形成され、該スピーカー開口部２３の下方には外部コネクタカバー２４が設けられている。外部コネクタカバー２４はボディ左側面１１ｆに対して開閉（または着脱）可能になっている。外部コネクタカバー２４に対応するカメラ内部にはジャック基板を備え、外部モニタなどのＡＶ機器との接続に用いるＡＶジャック、電源アダプタが接続されるアダプタジャックが設けられている。これらのジャックは、外部コネクタカバー２４を開くことでデジタルカメラ１０の外面側に露出しコネクタが接続可能になっている。
【００１８】
カメラ筺体１１のボディ後端面１１ｂ側には、ボディ後端面１１ｂとボディ上面１１ｃの間の稜線（境界）部に設けたヒンジ部２６を介して液晶モニタブロック２５が支持されている。ヒンジ部２６は、カメラ筺体１１側において左右方向に離間させて設けた一対の支持アーム２７と、該一対の支持アーム２７に挟まれ液晶モニタブロック２５を支持する中間支持部２８と、中間支持部２８から左右方向に突出されて各支持アーム２７内の軸孔に回転可能に挿入された一対の軸ピン２９を備え、該軸ピン２９を介して支持アーム２７と中間支持部２８は相対回動可能になっている。軸ピン２９の軸線Ｘ１は光軸Ｏと直交するカメラの左右方向へ向いており、該軸線Ｘ１を中心として液晶モニタブロック２５は、光軸Ｏの後方延長上にあってボディ後端面１１ｂに隣接する収納位置と、中間支持部２８と反対側の縁部をヒンジ部２６よりも高い位置に持ち上げる起立位置（図５）との間で回動することができる。収納位置では、液晶モニタブロック２５の液晶表示部３２は、光軸Ｏに対して略直交する平面内に位置される。
【００１９】
液晶モニタブロック２５のフレーム部２５ａは、矩形の液晶表示部３２を囲む４辺の縁部を有しており、図４のように液晶モニタブロック２５をボディ後端面１１ｂに隣接させた収納位置では、中間支持部２８に接する縁部を除く３辺の縁部がそれぞれボディ下面１１ｄ、ボディ右側面１１ｅ、ボディ左側面１１ｆと略面一になるようなサイズ及び形状となっている（図３参照）。
【００２０】
液晶モニタブロック２５がボディ後端面１１ｂに対向する図４の状態では、液晶表示部３２がカメラ後方に向いている（図４にハッチングで示す状態）。そして、図４の状態から軸線Ｘ１を中心として液晶モニタブロック２５を回動させて図５のように起立させると、液晶表示部３２がカメラ前方を向く。この液晶表示部３２を前方に向けた状態は、撮影者が自らを被写体とする対面撮影に適している。図５では液晶モニタブロック２５を約１８０度起こした状態を示しているが、ヒンジ部２６は、これ以外の任意の角度位置で液晶モニタブロック２５を停止させることができるようなフリクション（あるいはクリック）機構を備えている。
【００２１】
なお、図４の状態と図５の状態では液晶表示部３２の表示画面上における天地および左右方向が逆になるが、デジタルカメラ１０は、液晶モニタブロック２５の位置状態の変化を検知する検知手段２９ａ（図１ないし図３参照）と、該検知手段に基づいて液晶表示部３２に適切な状態（撮影者から見て方向の正しい）の画像を表示させる画像制御手段（後述のＣＰＵ５０など）とを備えている。検知手段２９ａは、一方の軸ピン２９の周囲に突出ピンとマイクロスイッチが備わり、液晶モニタブロック２５の起立回動を検出可能な構成になっている。
【００２２】
カメラ筺体１１のボディ右側面１１ｅ側には、把持用のグリップ４０が設けられている。グリップ４０は、カメラ筺体１１と同様に細長の箱型（四角筒）形状をなしており、軸ピン２９の軸線Ｘ１と略平行な回動軸を介して、カメラ筺体１１に対し回動可能に支持されている。グリップ４０上には、シャッタボタン４５、該シャッタボタン４５を囲む環状のズーム操作レバー４６、録画ボタン４７が設けられている。シャッタボタン４５は静止画撮影用の操作部材であり、ボタンの半押しで測光や測距を行い、全押しでシャッタレリーズ（静止画の撮影）を行わせることができる。このときの撮影モード等は、ボディ上面１１ｃとボディ左側面１１ｆ上に設けた前述の各操作部材によって適宜設定される。一方、録画ボタン４７は動画撮影用の操作部材であり、押圧されると動画の記録が開始され、押圧解除すると該記録が停止される。静止画と動画のいずれも、画像処理手段による処理を経て電子画像データとしてメモリカード６１の記録メモリに記録される。なお、メモリカード６１とは別にカメラ本体部１１に画像記録用のメモリを内蔵してもよい。
【００２３】
次に本実施例のカメラに備わる制御ブロックを図６を用いて説明する。図６では本発明に係る主要なブロックのみを示すが、デジタルカメラの通常備わる撮影および再生機能は特に図示しないが備わるものである。撮像部５１は光学系により結像された被写体象を撮像素子より光電変換し、その出力の所定の画像信号処理を行う。撮像部５１で処理された画像データは、ＣＰＵ５０により液晶モニタブロック２５に表示または記録メモリに表示または記録される。記録メモリに記録された画像データは再生ボタン１５の操作により再生モードの設定で、液晶モニタブロック２５または外部モニタ５９へ表示出力できる。
【００２４】
回動検出スイッチ５３は、液晶モニタブロック２５の軸ピン２９に備わるピンおよびマイクロスイッチで構成した前述の検知手段２９ａよりなり、検知信号をＣＰＵ５０に出力する。ＣＰＵ５０では回動検出スイッチ５３からの出力に応じて液晶モニタブロック２５の表示画面の天地左右を切替え、さらに十字キー１７の各操作部（スイッチ）Ｓ1〜Ｓ４の機能の割り当てを行う。操作部Ｓ１〜Ｓ４に割り当てられた機能に応じてＬＥＤ５８は、十字キーの各操作部Ｓ１〜Ｓ４を所定の色または表示により撮影者に報知する。例えば、図８では色表示による報知の例を示しており、操作部Ｓ１〜Ｓ４がＵＰの機能を有するときは、当該操作部が赤色で表示され、以下同様にＤＯＷＮの機能は青色、ＬＥＦＴの機能は黄色、ＲＩＧＨＴの機能は緑色で表示される。このような色表示を可能にするため、各操作部Ｓ１〜Ｓ４の外面は光透過性を有する材質で構成され、各操作部Ｓ１〜Ｓ４の内部にそれぞれＬＥＤ５８が配置されている。操作部Ｓ１〜Ｓ４の機能設定は、ＥＥＰＲＯＭ５４に記憶されておりＣＰＵ５０により回動検出スイッチ５３に応じて読み出し設定される。図８に示すように、電源立上げ時の初期設定では、機能Ａ（Ｓ１；ＵＰ、Ｓ２；ＤＯＷＮ、Ｓ３；ＬＥＦＴ、Ｓ４；ＲＩＧＨＴ）になり、液晶モニタブロック２５が起立状態になったことを回動スイッチが検出した場合には機能Ｂ（Ｓ１；ＤＯＷＮ、Ｓ２；ＵＰ、Ｓ３；ＲＩＧＨＴ、Ｓ４；ＬＥＦＴ）になる。ここで各操作部の機能はカメラの状況により異なるが、概ねＵＰは増加・選択、ＤＯＷＮは減少・解除の制御を行い、ＲＩＧＨＴは増加・順送り、ＬＥＦＴは減少・逆送りの制御がなされる。
【００２５】
コネクタ部５５は前述のＡＶジャックからなり、外部モニタとの接続を行うコネクタ６０が接続される。ＣＰＵ５０はＡＶジャックにコネクタが接続されたことを検出すると、メモリカード６１の記録メモリから画像データを読み出し、画像データを所定の信号に変換して出力させる。またコネクタ検出部５６はコネクタの接続を検出した場合には、ＣＰＵ５０に映像信号の外部出力を許可し、更に十字キー１７の各操作部の機能割り当てをコネクタ接続時の状態を保持して設定変更を禁止する。
【００２６】
図７にはメイン電源がオンされた後にＣＰＵ５０で所定の周期で行われえる十字キー機能設定の制御フローを示す。なおＣＰＵ５０で行われる制御はＲＯＭ内のプログラムに従って行われる。この制御フローにおいて、Ｓ１０でコネクタ部５５（ＡＶジャック）へのコネクタ６０の接続があるか否か判別される。接続されている場合はＳ２０に進み十字キー１７の操作の有無が判断される。コネクタの接続がされていない場合はＳ１２に進み回動検出スイッチ５３（検知手段２９ａ）により液晶モニタブロック２５の起立/収納状態を検出する。Ｓ１２での検出によりＳ１４では液晶モニタブロック２５がカメラ後方を向いている（図４に示す収納状態）か否か判断される。収納状態である場合はＳ１６に進みＥＥＰＲＯＭ５４より機能Ａが読み出され、ＣＰＵ５０で十字キー１７の機能割り当てが機能Ａ、つまり通常使用時のものに設定される。収納状態でないと判断された場合はＳ１８に進み、液晶モニタブロック２５がカメラ前方を向いている（図５に示す起立状態）と判断されるので機能Ｂに設定される。Ｓ１６またはＳ１８で各機能に割り当てられた後、十字キー１７が操作されればＳ２２でＳ１〜Ｓ４の機能割り当てに相当する制御が成される。操作されていない場合はＳ２２をスキップしリターンする。
【００２７】
十字キー１７の機能は前述したが、より具体例を説明すると撮影モードでは左右方向に相当するスイッチ（Ｓ３、Ｓ４）で露出補正のプラスマイナス設定（ＬＥＦＴ；マイナス、ＲＩＧＨＴ；プラス）、再生モードでは上下方向に相当するスイッチ（Ｓ１、Ｓ２）で画像拡大表示中の部分表示箇所のＵＰ、ＤＯＷＮ移動、左右方向に相当するスイッチ（Ｓ３、Ｓ４）では再生表示画像の前後送りを行う。メニュー表示中では、カメラ機能例えばＡＦ機能などの選択が行われる。
【００２８】
なお、本実施形態のデジタルカメラ１０では、記録した静止画像や動画を液晶表示部３２に再生するときは、主にカメラ筺体１１のボディ上面１１ｃに指がかかる使用姿勢が想定される。これに対応して、再生ボタン１５や十字キー１７といった画像再生用の操作部材は、該ボディ上面１１ｃに設けられており、カメラ筺体１１を上記姿勢で把持したまま操作することが容易になっている。画像再生時には、グリップ４０を収納端に位置させて、右手もカメラ筺体１１を保持するようにしてもよい。
【００２９】
以上の説明では液晶モニタブロック２５の回動方向を光軸前後方向（軸線Ｘ１を中心とする回動）のみで説明したが、例えば起立状態でさらに、光軸に垂直な異なる軸を中心に回動するようにさせても良い。実施形態のデジタルカメラ１０はこの態様も含んでおり、液晶モニタブロック２５が、中間支持部２８に対して、軸線Ｘ１と直交する軸線Ｘ２を中心として回動可能に支持されている。より具体的には、液晶モニタブロック２５のフレーム部２５ａには、該軸線Ｘ２方向に向けて軸ピン３０が設けられ、中間支持部２８には該軸ピン３０が回転可能に挿入される軸孔が形成されている。したがって、カメラ筺体１１に対して液晶モニタブロック２５は、軸線Ｘ１を中心とする回動と、軸線Ｘ２を中心とする回動を行うことができ、図９に示すように、起立状態の液晶モニタブロック２５を軸線Ｘ２中心で回動させて液晶表示部３２を左右に向けることが可能となる。さらに、液晶モニタブロック２５を、起立状態において軸線Ｘ２中心で完全に反転させてから軸線Ｘ１中心で収納位置へ回動させることもできる。このとき、液晶表示部３２はそれぞれ図５と図４に破線で示す方向を向き、特に図４の収納状態では該晶表示部３２がボディ後端面１１ｂに対向して保護されるため、デジタルカメラ１０の運搬時などに適した形態となる。
【００３０】
図１ないし図３に示すように、軸ピン３０周りには検知手段３０ａが設けられている。検知手段３０ａは検知手段２９ａと同様に構成されており、軸線Ｘ２を中心とした液晶モニタブロック２５の位置状態の変化を検知することができる。また図８に示すように、ＥＥＰＲＯＭ５４には、操作部Ｓ１〜Ｓ４の機能設定として先の機能Ａと機能Ｂのセットに加えて、機能Ｃ（Ｓ１；ＲＩＧＨＴ、Ｓ２；ＬＥＦＴ、Ｓ３；ＵＰ、Ｓ４；ＤＯＷＮ）と機能Ｄ（Ｓ１；ＬＥＦＴ、Ｓ２；ＲＩＧＨＴ、Ｓ３；ＤＯＷＮ、Ｓ４；ＵＰ）が記憶されている。液晶モニタブロック２５が軸線Ｘ２を中心として右向きになったことを検知手段３０ａが検出した場合には機能Ｃになり、同じく左向きになったことを検出した場合には機能Ｄになるように制御される。
【００３１】
図１０は、液晶モニタブロック２５が軸線Ｘ１と軸線Ｘ２の両方で回動可能である態様の制御フローであり、先に説明した図７の制御フローに以下の制御が追加されている。Ｓ２４において、起立した状態の液晶モニタブロック２５に関して、軸ピン３０を中心とした左右方向への回動（傾動）の有無を、検知手段３０ａにより検出する。回動がある場合はＳ２６へ進み、Ｓ２６では液晶モニタブロック２５がカメラ右側を向いているか否か判断される。右側を向いている場合はＳ２８に進み、ＥＥＰＲＯＭ５４より機能Ｃが読み出されＣＰＵ５０で十字キー１７の機能割り当てが機能Ｃ、つまり右方向を向いた状態のものに設定される。右向きでないと判断された場合はＳ３０に進み、液晶モニタブロック２５が左側を向いていると判断されるので機能Ｄに設定される。Ｓ２８またはＳ３０で各機能に割り当てられた後、十字キー１７が操作されればＳ２２でＳ１〜Ｓ４の機能割り当てに相当する制御が成される。操作されていない場合はＳ２２をスキップしリターンする。
【００３２】
本実施形態のデジタルカメラ１０は、以上の構造および制御によって、複数操作部材（操作部）を液晶モニタの使用位置によらず常に同様の操作をすることで意図した選択制御を行うことができる。よって、ユーザーによるカメラの使用感を向上させ、操作性の向上を図ることができる。
【００３３】
また、各操作部の機能状態の変化をＬＥＤなどの報知手段によって報知させるようにしたので、機能の割り当てが更新された場合でもユーザーが混乱するおそれがない。
【００３４】
以上ではデジタルカメラ１０に適用した実施形態を説明したが、本発明は、例えば回転可能な液晶画面付きの携帯電話など、デジタルカメラ以外の携帯機器にも適用することが可能である。
【図面の簡単な説明】
【００３５】
【図１】本発明を適用したデジタルカメラの一実施形態を示す前方斜視図である。
【図２】同デジタルカメラを図１と異なる方向から見た前方斜視図である。
【図３】同デジタルカメラの背面図である。
【図４】同デジタルカメラをグリップ側から見た側面図である。
【図５】同デジタルカメラにおいてグリップを起立させた状態を示す側面図である。
【図６】同デジタルカメラの制御ブロックを示すブロック図である。
【図７】同デジタルカメラにおける十字キー機能設定の制御を示すフローチャート図である。
【図８】同デジタルカメラにおける十字キー機能設定のパターンを示す図である。
【図９】同デジタルカメラにおいて、液晶モニタブロックが第１の回動軸に加えて第２の回動軸で回動可能である態様を示す斜視図である。
【図１０】液晶モニタブロックが第１と第２の回動軸で回動可能である態様における、十字キー機能設定の制御を示すフローチャート図である。
【符号の説明】
【００３６】
Ｏ  光軸
Ｘ１  Ｘ２  液晶モニタブロックの回動軸線
１０  デジタルカメラ
１１  カメラ筺体
１１ａ  ボディ前端面
１１ｂ  ボディ後端面
１１ｃ  ボディ上面
１１ｄ  ボディ下面
１１ｅ  ボディ右側面
１１ｆ  ボディ左側面
１３  電源ボタン
１４  モードダイヤル
１５  再生ボタン
１６  メニューボタン
１７  十字キー
２４  外部コネクタカバー
２５  液晶モニタブロック
２６  ヒンジ部
３２  液晶表示部
４０  グリップ
５０  ＣＰＵ
【図１】
2005328204.tif 000003
【図２】
2005328204.tif 000004
【図３】
2005328204.tif 000005
【図４】
2005328204.tif 000006
【図５】
2005328204.tif 000007
【図６】
2005328204.tif 000008
【図７】
2005328204.tif 000009
【図８】
2005328204.tif 000010
【図９】
2005328204.tif 000011
【図１０】
2005328204.tif 000012